(57)【特許請求の範囲】
【請求項１】
前板、左右の側板、背板、天板、及び底板を有する略矩形の筐体と、前記筐体内に収納され、該筐体の底板に立設固定された貯湯タンクとを備えた貯湯タンクユニットにおいて、
前記貯湯タンクの少なくとも上部近傍を前記筐体の側板に固定するための複数のタンク保持金具を備え、
前記タンク保持金具は、略矩形の平板をＺ字状に折り曲げて形成された２つの折り曲げ面を有し、
前記２つの折り曲げ面のうち、一方の折り曲げ面を前記筐体の側板に、他方の折り曲げ面の端辺を前記貯湯タンクの側面に、それぞれ固定したことを特徴とする貯湯タンクユニット。
【発明の詳細な説明】
【技術分野】
【０００１】
本発明は、温水を貯湯する貯湯タンクを筐体内に収納した貯湯タンクユニットに関するものである。
【背景技術】
【０００２】
この種の貯湯タンクユニットとして、略矩形の筐体内に貯湯タンクを収納した貯湯タンクユニットが知られている（例えば、特許文献１参照）。この種の貯湯タンクユニットにおける筐体への貯湯タンクの固定構造について、図８（ａ）（ｂ）を参照して説明する。同図８（ａ）（ｂ）は、貯湯タンクユニット１００の立設状態と、同ユニット１００を輸送のために地面２００上に横倒しとした状態を示している。貯湯タンクユニット１００は、貯湯タンク１０１と、貯湯タンク１０１を収納する略矩形の筐体１０２と、筐体１０２を支える脚部１０３で構成される。筐体１０２は、メンテナンス等のために筐体１０２から開放される前板１１１と、ビス又は溶接等で互いに固定された左右の側板１１２、１１３と、背板１１４と、天板１１５と、底板１１６とにより形成されている。貯湯タンク１０１は、その側面に溶接等で固定された複数のタンク固定脚１０４を介して底板１１６上にねじ止め等により立設固定される。
【０００３】
貯湯タンク１０１が、このようにして固定されているため、貯湯タンクユニット１００を輸送のために横倒ししたとき、図８（ｂ）に示すように、貯湯タンク１０１の保持は、底板１１６に固定されたタンク固定脚１０４による片持ちとなる。このため、貯湯タンク１０１の重量による応力が、タンク固定脚１０４を固定した底板１１６の固定部分と、タンク固定脚１０４の貯湯タンク１０１側面への接合部分とに集中することになり、これら固定部分や接合部分が貯湯タンクユニット１００の輸送時の振動や衝撃で破損し易くなる。特に、貯湯タンク１０１の接合部分の破損は、タンクの亀裂等につながる。
【０００４】
これに対し、振動による影響を緩和するため、図９（ａ）（ｂ）に示すように、貯湯タンク１０１の頂点近傍をバー材１２０により筐体１０２に固定する構成が知られている。即ち、筐体１０２の側板１１２、１１３にバー材１２０の両端部が各接合部１２２において固定され、このバー材１２０に貯湯タンク１０１の頂点近傍の接合部１２１が固定される。これにより、貯湯タンク１０１は、バー材１２０とタンク固定脚１０４で支持される。ところが、この構成においても、貯湯タンク１０１を頂点近傍で固定するので、貯湯タンクユニット１００を横倒しにして持ち運ぶとき、貯湯タンク１０１の振動による応力が、貯湯タンク１０１とバー材１２０の接合部１２１及びバー材１２０と筐体１０２の接合部１２２に集中し、各接合部が破損し易くなる。
【発明の開示】
【発明が解決しようとする課題】
【０００５】
本発明は、上記問題を解決するためになされたものであり、筐体内に立設して収納された貯湯タンクを備えた貯湯タンクユニットにおいて、該ユニットの輸送中等に、貯湯タンクを安定して筐体内に保持することができる貯湯タンクユニットを提供することを目的とする。
【課題を解決するための手段】
【０００６】
上記目的を達成するために請求項１の発明は、前板、左右の側板、背板、天板、及び底板を有する略矩形の筐体と、前記筐体内に収納され、該筐体の底板に立設固定された貯湯タンクとを備えた筐体貯湯タンクユニットにおいて、前記貯湯タンクの少なくとも上部近傍を前記筐体の側面に固定するための複数のタンク保持金具を備え、前記タンク保持金具は、略矩形の平板をＺ字状に折り曲げて形成された２つの折り曲げ面を有し、前記２つの折り曲げ面のうち、一方の折り曲げ面を前記筐体の側板に、他方の折り曲げ面の端辺を前記貯湯タンクの側面に、それぞれ固定したものである。
【発明の効果】
【０００７】
請求項１の発明によれば、貯湯タンクの上部近傍がＺ字状のタンク保持金具により筐体の側面に固定されると共に、タンク保持金具の１つの折り曲げ面の端辺による狭幅の線状的な面接合により貯湯タンクに固定されているので、ユニットの輸送時等に貯湯タンクが振動することによって応力が発生しても、タンク保持金具が変形し易く、該応力は吸収される。このため、貯湯タンクは安定して筐体内に保持されると共に、筐体と貯湯タンクの接合部分が破損することが防止される。
【発明を実施するための最良の形態】
【０００８】
本発明の実施形態に係る貯湯タンクユニットついて図１乃至図５を参照して説明する。図１及び図２は、本実施形態による貯湯タンクユニット１を示す。この貯湯タンクユニット１は、温水を貯湯する貯湯タンク２と、貯湯タンク２を収納する略矩形の金属製又は樹脂製の筐体３と、筐体３を支えるタンクユニット脚部４と、貯湯タンク２を筐体３内に立設して固定するためのタンク固定脚５と、貯湯タンク２の少なくとも上部２ａを筐体３に固定するためのタンク保持金具６とを備えている。
【０００９】
貯湯タンク２は、略円筒形の金属製筐体からなり、その底部２ｂに溶接またはビス止めされた複数（ここでは、３本）のタンク固定脚５を有し、このタンク固定脚５を介して筐体３の底板３６上に立設固定される。
【００１０】
筐体３は、メンテナンス等のために開放自在な前板３１と、ビス又は溶接等で互いに固定されている左右の側板３２、３３と、背板３４と、天板３５と、底板３６とから形成される。前板３１は、筐体３の空間内に貯湯タンク２が収納された後に、ビス止め等により筐体３の前面側に固定される。
【００１１】
貯湯タンク２は、その中心軸が筐体３の側板３２．３３と略平行に成るように、また、側板３２．３３との距離が略等しくなるように配設されている。また、タンクユニット脚部４は、貯湯タンク２のタンク固定脚５に対応する筐体３の底板３６の裏面側に固定されている。なお、貯湯タンクユニット１の輸送時を想定して、貯湯タンク２への給水用、給湯用の配管等の図面は省略している。
【００１２】
貯湯タンク２と筐体３との固定は、タンク固定脚５による筐体３の底板３６への固定に加え、２つのタンク保持金具６による筐体３の側板３２、３３への固定により行われる。ここに、タンク保持金具６の貯湯タンク２側の接合部位２１、２２は溶接で、筐体３側はビス７でそれぞれ固定される。また、これらの接合部位２１、２２は、貯湯タンク２の中心軸に対して互いに略対称な位置にあり、貯湯タンク２の上部近傍とされるが、タンク高さの半分以上の高さであればよい。
【００１３】
ここで、タンク保持金具６について、図３を参照して説明する。タンク保持金具６は、略矩形の金属製の平板６０を、その側辺に平行な折り曲げ線６３、６４に沿ってＺ字状に折り曲げて形成された２つの折り曲げ面６１、６２を有する。折り曲げ面６１、６２は、略等幅の矩形の板片を成す。折り曲げ線６３、６４は、貯湯タンク２の中心軸に略平行になるように配設される。一方の折り曲げ面６１には、筐体３の側板３２、３３にビス止めするためのビス孔６５が形成されている。折り曲げ面６２の端辺６２ａは、貯湯タンク２の側面への接合部位となる。
【００１４】
ここで、タンク保持金具６による貯湯タンク２の筐体３への固定について、図４及び図５を参照して説明する。図４は、貯湯タンクユニット１の貯湯タンク２を筐体３内に立設して固定した状態を、筐体３の天板３５を開放して上方から見た図を示す。図５は、貯湯タンクユニット１の前板３１を開放して正面から見た図を示す。タンク保持金具６のうちの、一方の折り曲げ面６１は、筐体３の側板３２、３３にそれぞれビス７によりビス止めされ、他方の折り曲げ面６２は、その端辺６２ａで貯湯タンク２の円筒状の側面に接合部位２１、２２において溶接等で接合される。この接合は、端辺６２ａを貯湯タンク２の中心軸と略平行になるように貯湯タンク２の側面に接触させて、貯湯タンク２の高さ方向に沿って行われる。ここに、貯湯タンク２とタンク保持金具６とは、折り曲げ面６２の広い面での接合ではなく、その端辺６２ａによる狭幅の線状的な面接合で行われる。このようなＺ字状のタンク保持金具６の折り曲げ面６２の端辺６２ａによる接合により、タンク保持金具６が変形し易くなるので、貯湯タンク２が横揺れ等で振動した場合に、その振動による応力を吸収することができる。また、筐体３内において、貯湯タンク２は、筐体３の各側板３２、３３からの距離が略同じに、また、前板３１と背板３４とからの距離が略同じになるように配設される。また、折り曲げ面６２の貯湯タンク２との接合部位２１、２２の各中心を結ぶ線Ｌは、筐体３の側板３２、３３に略直交するようになっている。
【００１５】
次に、貯湯タンクユニット１を横倒しにして搬送するときの、タンク保持金具６による貯湯タンク２の振動による応力の吸収について、図６（ａ）（ｂ）及び図７を参照して説明する。図６（ａ）（ｂ）は、貯湯タンクユニット１を、筐体３の背板３４を地面２００上に横倒しに置いた状態を示す。横倒し状態の貯湯タンク２は、タンク固定脚５を固定した底板３６の固定部分と、タンク保持金具６と筐体３の側板３２、３３との固定部分とにおいて保持される。このとき、図７に示すように、貯湯タンク２が、矢印で示す上下方向に振動して、貯湯タンク２の重さにより初期の保持状態から筐体３の下方に動いたとき、タンク保持金具６がＺの文字が伸びるように変形する。このとき、上記接合部位２１、２２の各部の中心を結ぶ線Ｌの位置は変位している。ここに、折り曲げ面６２は、端辺６２ａによる線状的な面接合とされているので、変形し易い。これにより、振動による応力がタンク保持金具６により吸収されることになる。
【００１６】
このように、本実施形態においては、貯湯タンク２がＺ字状のタンク保持金具６により筐体３に固定されているので、貯湯タンク２が振動により変位しても、筐体３への応力を吸収することができる。従って、タンク固定脚５と底板３６の固定部分と、タンク保持金具６と貯湯タンク３の接合部位２１、２２及び筐体３の側板３２、３３との固定部分に瞬間的に大きな応力が掛からなくなり、筐体３と貯湯タンク２が互いに固定される接合部分等が破壊され難くなり、貯湯タンク２の亀裂による漏水等の発生を抑制することができる。また、貯湯タンクユニット１の輸送中に、貯湯タンクを安定して筐体内に保持することができ、安全に輸送することができる。
【００１７】
なお、本発明は、上記実施形態等に限られるものでなく、さらに適宜に変更することができる。例えば、本実施形態では、タンク保持部を貯湯タンクの上部の１箇所のみに設けたが、貯湯タンクの上部に加え、貯湯タンクの中部など複数箇所に設けてもよい。また、タンク保持部の一方の折り曲げ面を筐体の左右の側板に固定したが、筐体の背板や前板等に固定してもよい。また、貯湯タンクを、保温のため、その周囲を断熱材で包むと共に、この断熱材を貯湯タンクの揺れを抑制するような緩衝材と兼用することにより、さらに貯湯タンクの揺れを抑制することができる。
【図面の簡単な説明】
【００１８】
【図１】本発明の実施形態に係る貯湯タンクユニットの斜視図。
【図２】上記ユニットの前板を開放したときの正面図。
【図３】上記ユニットにおけるタンク保持金具の斜視図。
【図４】上記ユニットの天板を開放した平面図。
【図５】上記ユニットの前板を開放した部分正面図。
【図６】（ａ）上記ユニットの横倒しの状態の側面図、（ｂ）は（ａ）の天板を開放したときの天板側から見た側面図。
【図７】図５（ｂ）の拡大図。
【図８】（ａ）は従来の貯湯タンクユニットの正面図、（ｂ）は同ユニットを横倒しの状態の側面図。
【図９】（ａ）は他の従来の貯湯タンクユニットの横倒しの状態の側面図、（ｂ）は（ａ）の天板側から見た側面図。
【符号の説明】
【００１９】
１  貯湯タンクユニット
２  貯湯タンク
３  筐体
３１  前板
３２、３３  側板
３４  背板
３５  天板
３６  底板
６  タンク保持金具
６０  平板
６１、６２  折り曲げ面
６２ａ  端辺
【図１】
0005033011.tif 000002
【図２】
0005033011.tif 000003
【図３】
0005033011.tif 000004
【図４】
0005033011.tif 000005
【図５】
0005033011.tif 000006
【図７】
0005033011.tif 000007
【図６】
0005033011.tif 000008
【図８】
0005033011.tif 000009
【図９】
0005033011.tif 000010